(57)【要約】【課題】  メガネのフロント部を鼻に当てて支持する為の鼻当てパット支持体の提供。【解決手段】  概略山形をした脚体３は円弧状に湾曲した基部５から両側へ脚４，４を延ばし、脚４，４の先端には鼻当てパット２，２を設け、上記脚体３は弾性変形可能な材質にて構成している。そして、この鼻当てパット支持体３は連結部材に形成した係合溝１３に嵌めて取付けることが出来る。【選択図】    図１
2007240700.tif 000002
【特許請求の範囲】
【請求項１】
メガネのフロント部を鼻に当てて支持する為の鼻当てパット支持体において、概略山形をした脚体は円弧状に湾曲した基部から両側へ脚を延ばし、脚の先端には鼻当てパットを設け、上記脚体は弾性変形可能な材質にて構成したことを特徴とする鼻当てパット支持体。
【請求項２】
上記脚体を金属製のワイヤーにて構成し、脚体の脚先端には樹脂製の鼻当てパットを取付けた請求項１記載の鼻当てパット支持体。
【請求項３】
上記脚体及び脚先端の鼻当てパットを樹脂にて一体成形した請求項１記載の鼻当てパット支持体。
【請求項４】
レンズを備えたフロント部中央に鼻当てパットを取付けると共にその両側にはツルが折畳み出来るように取付けているメガネにおいて、上記フロント部の中央に位置する連結部材の下面には円弧状に湾曲した係合溝を形成し、係合溝の両口は連結部材の背面側に設け、この係合溝に鼻当てパット支持体を取付けたもので、該鼻当てパット支持体は、上記係合溝より大きな曲率半径を有す円弧状に湾曲した基部から両側へ脚を延ばした概略山形の脚体の該脚の先端に鼻当てパットを設けて構成し、そして脚体は弾性変形可能な材質とし、上記脚体の基部を連結部材に形成した上記係合溝に嵌めて取付けたことを特徴とするメガネ。
【請求項５】
連結部材の背面側に設けた口をＬ形として、湾曲した基部が係止する係止溝を形成した請求項４記載のメガネ。
【発明の詳細な説明】
【技術分野】
【０００１】
本発明はメガネフレームの鼻当てパット支持体及び該鼻当てパット支持体を取付けたメガネに関するものである。
【背景技術】
【０００２】
メガネはフロント部とツルを有し、フロント部にはレンズが取付けられている。レンズの取付け方法にも色々あり、最も基本的で昔から用いられているものに、フロント部を構成しているリムにレンズを嵌めて取付ける方法である。又、リムを上側半分のハーフリムとし、下側には水糸などの高張力糸によってレンズを保持する方式もあり、さらにはリムを用いることなく左右のレンズを連結部材により直接ネジ止めし、レンズ外側にはヨロイをネジ止めした構造も一般的に多用されているレンズ取付け構造である。
【０００３】
ところで、このようにレンズを備えたフロント部は顔の正面に支持され、ヨロイから後方へ延びるツルは耳に掛けられる。フロント部を顔の正面に支持する為に、該フロント部の中央には鼻当てパットが取付けられ、この鼻当てパットが鼻の両脇に当って該フロント部を所定の位置(高さ)に保持することが出来る。
【０００４】
図７は従来の一般的な鼻当てパット(ニ)の取付け構造を表している。レンズが嵌るリム(イ)の内側に湾曲した脚(ロ)をロウ付けし、この脚先端にロウ付けした箱(ハ)に鼻当てパット背面から突出した止着片をネジ止めしている。この場合、鼻当てパット(ニ)が鼻に当ってなじむことが出来るように多少のアガキを有し、その向きが変化して鼻両脇にフィットすることが出来る。しかも、メガネを購入する場合、鼻にフィットするように上記脚(ロ)を適度に曲げて鼻当てパット(ニ)の位置を調整することも一般に行われている。
【０００５】
このように、鼻当てパット(ニ)の取付け構造は湾曲した脚(ロ)の製作、リム(イ)へのロウ付け、並びに各自の鼻にフィットするように脚(ロ)の曲げ調整をすることが必要となる。メガネフレームの材質によっては、脚(ロ)のロウ付けが困難なものもあり、近年多用されているチタン製のメガネフレームもその１つである。勿論、樹脂製フレームの場合も不可能であり、樹脂製フレームの場合にはフロント部の一部として鼻当てパットが一体成形されている。
【０００６】
リム(イ)にロウ付けされた脚(ロ)を曲げ調整する場合、ロウ付けが外れることも多く、特にロウ付け困難な材質のメガネフレームの場合には脚(ロ)が離脱し易くなる。
ところで、従来においても鼻当てパットの取付けに関する文献は数多く知られている。例えば、特開２００２−２９６５４５号に係る「メガネフレームの鼻当てパット取付け構造」はメガネのフロント部を鼻に当てて支える為の鼻当てパットの取付け構造であって、鼻当てパットをワンタッチで取付けることが出来ると共に、その向きが変化して鼻にフィットすることが出来る取付け構造としている。
【０００７】
しかし、この文献に記載している鼻当てパット取付け構造では、鼻当てパットの向きが自由に変化するだけであり、該鼻当てパットの位置を調整することは出来ない。
【特許文献１】特開２００２−２９６５４５号に係る「メガネフレームの鼻当てパット取付け構造」
【発明の開示】
【発明が解決しようとする課題】
【０００８】
このように、従来の鼻当てパット取付け構造には上記のごとき問題がある。本発明が解決しようとする課題はこれら問題点であって、メガネのフロント部に簡単に取付けることが出来る鼻当てパット支持体及び該鼻当てパット支持体を備えたメガネを提供する。
【課題を解決するための手段】
【０００９】
本発明に係る鼻当てパット支持体は、フロント部の連結部材にワンタッチで取付けることが出来、又ワンタッチで取外すことが出来る構造と成っている。そこで、脚の先端には鼻当てパットを取付け、両脚は互いに連続して概略山形の脚体を成している。脚体の材質は弾性材が用いられて脚先端に鼻当てパットが取付けられるがその取付け構造は限定せず、従来のように箱をロウ付けし、該箱には背面から突出した止着片を嵌めてネジ止めすることが出来る。
【００１０】
上記鼻当てパットを取付けた山形の脚体はフロント部の連結部材に形成した係合溝に係合して取付けられる。係合溝は連結部材の下面に円弧状に湾曲して形成され、係合溝の両口が連結部材の背面に設けられている。そして概略山形の脚体は弾性材で構成している為に、多少曲げて係合溝に嵌め、該係合溝に係合することで弾性力が付勢されて離脱することなく安定して取付けられる。脚体は円弧状に湾曲した基部を有し、該基部から概略Ｌ形をした脚が両側へ延びた形状であり、基部の円弧は係合溝より大きな曲率半径を有している。ここで、係合溝の両端は連結部材の背面に口として開口しているが、この口を概略Ｌ形として係止溝を形成することが出来る。湾曲した基部は係合溝に嵌ると共にこの係止溝に係止することで外れなくなる。
【００１１】
ところで、両脚を摘んで圧縮するならば基部の曲率半径は小さくなって係合溝に嵌めることが出来る。本発明の鼻当てパット支持体は脚の先端に鼻当てパットを取付けた構造とする場合に限らず、概略山形の脚体と鼻当てパットを樹脂材にて一体成形することも可能である。そして対象となるメガネフレームの形態は限定させず、又メガネフレームの材質も自由である。
【発明の効果】
【００１２】
本発明に係る鼻当てパットはメガネフレームのフロント部中央の連結部材に簡単に取付けることが出来、又簡単に取外すことも出来る。すなわち、連結部材に形成した係合溝に概略山形の脚体を摘んで基部を嵌めるならば、脚体は弾性力を係合溝に付勢することでガタ付くことなく安定した取付けが出来、そして係止溝に係止して外れることもない。このような取付け構造であるために、色々の長さ及び形状を有す脚からなる複数脚体を準備しておくことで、各自の鼻に合う鼻当てパットを即座に取付けることが出来、脚の曲げ調整は不要となる。
【００１３】
そして、鼻当てパットが汚れた場合には簡単に交換することも可能となる。従来のようなロウ付けにて脚を固定する構造ではない為に、ロウ付け不能なメガネフレームに取付けることが出来、例えば樹脂製メガネフレームや木製メガネフレームも対象となる。
【実施例】
【００１４】
図１は本発明に係る鼻当てパット支持体１を示す実施例であり、同図の２は鼻当てパット、３は脚体、４は脚をそれぞれ表している。脚体３は概略山形をした２本の脚４，４から成り、両脚４，４は基部５にて湾曲して繋がり、１本のワイヤーにて構成している。脚４，４の基部側は両側へ水平に延び、途中で屈曲して斜め下方へ延びている。すなわち、同図に示す脚４は概略Ｌ形又は「ヘ」形をしている。
【００１５】
そして、脚４の先端には箱６がロウ付けされ、この箱６に鼻当てパット２の背面に突出した止着片が嵌ってネジ止めされている。箱６に止着片が嵌って多少のアガキを残してネジ止めする止着構造は従来から使用されている方法であり、ここで改めて説明することは省略する。
【００１６】
図２は本発明に係る鼻当てパット支持体１を示す他の実施例である。基本的な形態は前記図１の場合と同じであり、概略山形をした脚体３の脚先端には鼻当てパット２，２が該脚４と一体的に成形されている。材質は弾力性に優れた樹脂が使用され、樹脂材にて鼻当てパット支持体１が一体成形されたものである。勿論、樹脂材に限定するものではなく、金属板を打抜き成形することで該鼻当てパット支持体１を製作することも可能である。
【００１７】
前記図１の鼻当てパット支持体１では、脚４の先端に箱６をロウ付けし、この箱６に止着片を嵌めて鼻当てパット２がネジ止めされた構造としているが、別形態として脚先端にリングを形成し、このリングには背面に突出して設けた止着片を嵌めて取付ける構造とすることも可能であり、鼻当てパット２を脚先端に取付ける構造は同図に示す場合に限定しないことにする。
【００１８】
図３は図１に示す鼻当てパット支持体１を取付けたメガネフレームを表している。同図に示すメガネフレームは金属製であって、両リム７，７は連結部材８にて連結され、リム外側にロウ付けしたヨロイ９，９にはツル１０，１０が継手１１，１１を介して折畳み出来るように取付けられている。そして、上記連結部材８には鼻当てパット２，２を有す鼻当てパット支持体１が取付けられている。
【００１９】
図１の鼻当てパット支持体１は金属製ワイヤーで構成した概略山形の脚体３に鼻当てパット２，２を備えたもので、連結部材８に形成した係合溝に脚体３の基部５が嵌って係合することが出来る。図４(ａ)は連結部材８に鼻当てパット支持体１を取付けた背面図を表している。図４(ｂ)は連結部材８の背面側に形成される係合溝１３の両端口１２，１２の拡大図を示しているように、該口１２は概略Ｌ形をなし、その一部に係止溝１９を設けている。
【００２０】
連結部材８の下側(下面)には湾曲した細幅の係合溝１３が形成され、該係合溝１３は連結部材８の下方を開口していると共に、両端口１２，１２は前記図４(ｂ)に示しているように背面側に設けている。図５は連結部材８の下面１７を表しているが、滑らかな円弧状に湾曲した係合溝１３が形成され、両口１２，１２が背面に設けることで、連結部材８の正面側に係合溝１３が見えることはない。
【００２１】
そして、連結部材８の両端には嵌合溝１８，１８が形成され、この嵌合溝１８，１８にリム７，７が嵌ってロウ付けされている。リム７，７の内周にはレンズがはまるための凹溝１４が沿設されている。ところで、上記係合溝１３に脚体３の基部５が嵌って取付けられるが、基部５の曲率半径は係合溝１３より大きく成っている為に、両脚４，４を摘んで圧縮し、基部５の曲率半径を小さくした状態で係合溝１３に嵌めることが出来る。
【００２２】
基部５の曲率半径は両脚４，４を摘んで縮めた状態で係合溝１３の曲率半径と一致して嵌ることが出来るために、該係合溝１３に嵌って手を放すならば、基部５の曲率半径は元の大きさに復元しようとして該係合溝１３にバネ力が付勢される。その為に、基部５は係合溝１３から外れることはない。すなわち、係合溝１３に基部５が嵌ると共に両口１２，１２から出て脚４，４は延びることが出来る。この場合、口１２，１２の一部として形成される係止溝１９，１９に脚４，４が係止することで該脚４，４は係合溝１３から離脱することはない。
【００２３】
図６は鼻当てパット支持体１を連結部材８に取付けた状態を表している。係合溝１３に湾曲した基部５を嵌めて手放すならば、該基部５の曲率半径は大きくなろうとして、係合溝１３の中央には力Ｐが背面側に働き、力Ｑは両側外方向へ働く。これらの力はバランスして釣合うことに成るが、係合溝１３から鼻当てパット支持体１を取外す場合には、再び両脚４，４を摘んで圧縮し、基部５の曲率半径を係合溝１３に一致したところで引き抜くことが出来る。
【００２４】
鼻当てパット支持体１の脚体３は両脚４，４が円弧状に湾曲した基部５にて連続した概略山形をしているが、脚４は水平脚片１５と垂下脚片１６を有した概略Ｌ形としている。そして水平脚片１５の基部からの長さはＬとし、水平脚片１５の先端にて屈曲し、斜め下方へ延びる垂下脚片１６の長さはＨとなっている。
【００２５】
ところで、本発明の鼻当てパット１は水平脚片１５の長さＬと垂下脚片１６の長さＨの異なる脚体３，３・・を色々準備されている。その為に、各自の鼻にフィットする鼻当てパット支持体１が選択して連結部材８に取付け得る。この場合、係合溝１３に鼻当てパット支持体１を取付け、鼻当てパット２，２の位置が合わなければ取外し、完全にフィットするまで色々な鼻当てパット支持体１を試しに取付けることが可能と成る。
【図面の簡単な説明】
【００２６】
【図１】本発明に係る鼻当てパット支持体を示す実施例。
【図２】本発明に係る鼻当てパット支持体を示す他の実施例。
【図３】鼻当てパット支持体を取付けたメガネフレーム。
【図４】連結部材に鼻当てパット支持体を取付けた背面図。
【図５】係合溝を形成した連結部材の下側。
【図６】係合溝に鼻当てパット支持体が取付けられている場合。
【図７】従来の鼻当てパット支持構造。
【符号の説明】
【００２７】
１  鼻当てパット支持体
２  鼻当てパット
３  脚体
４  脚
５  基部
６  箱
７  リム
８  連結部材
９  ヨロイ
10  ツル
11  継手
12  口
13  係合溝
14  凹溝
15  水平脚片
16  垂下脚片
17  下面
18  嵌合溝
19  係止溝
【図１】
2007240700.tif 000003
【図２】
2007240700.tif 000004
【図３】
2007240700.tif 000005
【図４】
2007240700.tif 000006
【図５】
2007240700.tif 000007
【図６】
2007240700.tif 000008
【図７】
2007240700.tif 000009